(57)【要約】【課題】面白いと思われる他の番組に短時間で切り替え得るテレビを提供する。【解決手段】放送信号Ｓｂを受信するチューナ１１と、放送信号Ｓｂに基づく映像を表示する表示部２１と、視聴予約されている番組の情報を優先順位を付けて記憶する予約情報記憶部１５と、表示部２１に表示される番組を切り替える切替操作が可能なリモコン３と、切替操作が行われたときに、表示部２１に現在表示されている番組に対して優先順位が１つ高い番組および１つ低い番組のいずれかを予約情報記録部１５に記憶されている番組の情報のなかから選択すると共に選択した番組についての放送信号Ｓｂをチューナ１１に受信させる主制御部１８とを備えている。【選択図】図１
2006211085.tif 000002
【特許請求の範囲】
【請求項１】
放送信号を受信する受信部と、前記放送信号に基づく映像を表示する表示部と、視聴予約されている番組の情報を優先順位を付けて記憶する予約情報記憶部と、前記表示部に表示される番組を切り替える切替操作が可能な操作部と、前記切替操作が行われたときに、前記表示部に現在表示されている番組に対して優先順位が１つ高い番組および１つ低い番組のいずれかを当該予約情報記録部に記憶されている前記番組の情報のなかから選択すると共に当該選択した番組についての前記放送信号を前記受信部に受信させる主制御部とを備えているテレビ。
【請求項２】
前記主制御部は、前記表示部に現在表示されている番組よりも優先順位の高い番組の情報が前記予約情報記録部に記憶されている状態において当該優先順位の高い番組の開始時刻が到来したときに、当該優先順位の高い番組についての前記放送信号を前記受信部に受信させる請求項１記載のテレビ。
【発明の詳細な説明】
【技術分野】
【０００１】
本発明は、番組に対する視聴予約可能に構成されているテレビに関するものである。
【背景技術】
【０００２】
この種のテレビとして、特開２００２−３０５６９２号公報に開示されたテレビが知られている。このテレビでは、ＥＰＧ（Electric Program Guide：電子番組ガイド）に基づいて作成された視聴を希望する番組をまとめた仮番組表に対して、同じ時間帯に複数の番組が重複して存在するときには、予め設定されているジャンル毎の優先順位および再放送の有無に基づいて、優先順位の高い方を残すと共に低い方を排除することにより、さらには、再放送のある番組は他の番組と重複しない時間帯において視聴するようにして排除することにより、同じ時間帯に複数の番組が重複しない視聴予約用の番組表を作成している。
【特許文献１】特開２００２−３０５６９２号公報（第５−６頁）
【発明の開示】
【発明が解決しようとする課題】
【０００３】
ところが、従来のテレビには、以下の問題点がある。すなわち、従来のテレビでは、重複のない状態で視聴予約のための番組表を作成している。このため、面白そうな番組と思って予約したものの、実際にこの番組を見始めたらつまらなかったときには、再度、ＥＰＧを表示部に表示させ、現在放送中の他の番組のなかから見たい番組を検索する必要がある。この場合、ＥＰＧに登録されている番組の数が多いため、検索に長時間を要するのが通常である。このため、見たい番組の視聴時間が短くなったり、ときには番組が終了してしまって見ることができないといったことも生じる。
【０００４】
本発明は、かかる問題点に鑑みてなされたものであり、面白いと思われる他の番組に短時間で切り替え得るテレビを提供することを主目的とする。
【課題を解決するための手段】
【０００５】
上記目的を達成すべく本発明に係るテレビは、放送信号を受信する受信部と、前記放送信号に基づく映像を表示する表示部と、視聴予約されている番組の情報を優先順位を付けて記憶する予約情報記憶部と、前記表示部に表示される番組を切り替える切替操作が可能な操作部と、前記切替操作が行われたときに、前記表示部に現在表示されている番組に対して優先順位が１つ高い番組および１つ低い番組のいずれかを当該予約情報記録部に記憶されている前記番組の情報のなかから選択すると共に当該選択した番組についての前記放送信号を前記受信部に受信させる主制御部とを備えている。
【０００６】
このテレビでは、主制御部が、表示部に表示される番組を切り替える切替操作が行われたときに、表示部に現在表示されている番組に対して優先順位が１つ高い番組および１つ低い番組のいずれかを予約情報記憶部に記憶されている番組のなかから選択すると共に、この選択した番組についての放送信号を受信部に受信させる。このため、切替操作が行われる都度、優先順位の高い方から低い方に、また優先順位の低い方から高い方に、視聴予約されている番組を切り替えて視聴することができる。したがって、例えば、視聴し始めた優先順位の高い番組が面白くないときでも、切替操作を１回行うだけで、簡単かつ瞬時（短時間）に次の優先順位の番組に切り替えることができる。この結果、次に見たいと思って視聴予約した番組の視聴時間が短くなったり、ときにはこの番組が終了してしまうといった事態を避けることができる。また、次の優先順位の番組をＣＭなどの間に一時的に容易に視聴することもできる。
【０００７】
また、本発明に係るテレビは、上記のテレビにおいて、前記主制御部は、前記表示部に現在表示されている番組よりも優先順位の高い番組の情報が前記予約情報記録部に記憶されている状態において当該優先順位の高い番組の開始時刻が到来したときに、当該優先順位の高い番組についての前記放送信号を前記受信部に受信させる。
【０００８】
このテレビでは、主制御部が、表示部に現在表示されている番組よりも優先順位の高い番組の情報が予約情報記録部に記憶されている状態において優先順位の高い番組の開始時刻が到来したときに、この優先順位の高い番組についての放送信号を受信部に受信させる。このため、より優先順位の高い番組を自動的に視聴可能な状態にすることができる結果、優先順位の高い予約番組を見逃さずに確実に視聴することができる。
【発明を実施するための最良の形態】
【０００９】
以下、本発明に係るテレビの最良の形態について、添付図面を参照して説明する。図１に示すテレビ１は、プロジェクションテレビであって、本体部２およびリモコン３を備えている。本体部２は、チューナ１１、映像音声処理部１２、表示装置１３、音響装置１４、予約情報記憶部１５、タイマ１６、キー入力処理部１７および主制御部１８を備えている。
【００１０】
チューナ１１は、本発明における受信部に相当し、主制御部１８の制御に従い、図外のアンテナで受信している放送波からチャンネル番号情報Ｄ１で指定されたチャンネルの放送信号Ｓｂを抽出して映像音声処理部１２に出力する。また、チューナ１１は、主制御部１８の制御に従い、アンテナで受信している放送波からＥＰＧ情報Ｄ２を抽出して主制御部１８に出力する。映像音声処理部１２は、チューナ１１から出力されている放送信号Ｓｂを信号処理して映像データＤｐおよび音声データＤｓを生成すると共に、映像データＤｐを表示装置１３に出力し、音声データＤｓを音響装置１４に出力する。
【００１１】
表示装置１３は、図１に示すように、表示部２１および映像出力部２２を備え、さらに、表示部２１は、光学エンジン３１およびスクリーンパネル３２を備えて構成されている。光学エンジン３１は、本体部２の内部に配設されて、映像出力部２２から出力されている表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが反射ミラー（図示せず）によって反射されてスクリーンパネル３２に投射される。スクリーンパネル３２は、この投射光Ｌを受光して映像を表示する。映像出力部２２は、映像音声処理部１２から出力されている映像データＤｐおよび主制御部１８から出力されている番組表映像データＤ３の少なくとも一方に基づいて表示用信号Ｓｅを生成して光学エンジン３１に出力する。本例では、一例として映像出力部２２は、一方で映像データＤｐに基づいて、図２に示すテレビ映像Ｐｔを表示させるための表示用信号Ｓｅを生成し、他方では、番組表映像データＤ３に基づいて、図３に示すテレビ映像（番組表映像）Ｐｅを表示させるための表示用信号Ｓｅを生成する。なお、映像データＤｐおよび番組表映像データＤ３に基づいて、テレビ映像Ｐｔおよび番組表映像Ｐｅの合成映像を表示させるための表示用信号Ｓｅを生成するように映像出力部２２を構成することもできる。
【００１２】
音響装置１４は、図１に示すように、音声出力部４１およびスピーカ４２を備えている。音声出力部４１は、映像音声処理部１２から出力されている音声データＤｓに基づいて音声信号Ｓｓを生成してスピーカ４２に出力する。予約情報記憶部１５は、リモコン３に対する操作内容に基づいて決定された視聴予約する番組についての予約情報（予約番号、放送日時（放送日、開始時刻および終了時刻）、チャンネル番号、番組名）を、図４に示すように、優先順位（同図では、予約番号の若い番組の優先順位を高くしている）を付けて記憶する。タイマ１６は、現在の日時情報を常時生成する。また、タイマ１６は、生成している日時情報と、主制御部１８によって設定（時刻予約）された予約日時Ｄｔとを比較して、予約日時Ｄｔが到来したときに、その旨を通報する通報信号Ｓｔを割込み信号として主制御部１８に出力する。
【００１３】
キー入力処理部１７は、受光部を備えて構成されて、リモコン３から出力された赤外線信号Ｓｉを受光して光電変換することにより、リモコン３による操作内容を示す操作信号Ｓｏを主制御部１８に出力する。主制御部１８は、キー入力処理部１７から出力された操作信号Ｓｏに従い、マニュアル選局処理、予約処理５０（図５参照）および予約番組切替処理７０（図７参照）などを実行する。具体的には、主制御部１８は、操作信号Ｓｏの内容に基づいて、リモコン３の選局スイッチ８１ｃ（図２参照）が操作されたと判別したときにマニュアル選局処理を実行し、予約スイッチ８１ｂ（図２参照）が操作されたと判別したときに予約処理５０を実行し、切替スイッチ８１ｄ（図２参照）が操作されたと判別したときに予約番組切替処理７０を実行する。また、主制御部１８は、タイマ１６から通報信号Ｓｔが出力されたときに自動選局処理６０（図６参照）を実行する。
【００１４】
リモコン３は、本発明における操作部に相当し、図２に示すように、本体部２とは別体に形成されている。また、リモコン３は、電源スイッチ８１ａ、予約スイッチ８１ｂ、選局スイッチ８１ｃ，８１ｃ・・、切替スイッチ８１ｄ、カーソルキー８１ｅ，８１ｅ・・、および決定スイッチ８１ｆなどの各種操作スイッチが配列されて構成され、これらの操作スイッチが操作されたときに、各操作スイッチに対応する赤外線信号Ｓｉを出力する。この場合、切替スイッチ８１ｄを用いた操作が本発明における切替操作に相当する。
【００１５】
次に、テレビ１の全体的な動作について、図面を参照して説明する。このテレビ１では、リモコン３の電源スイッチ８１ａが操作された際に、主制御部１８を含む各構成要素に電源が供給されて、各構成要素が作動を開始する。この状態において、まず、主制御部１８は、直前の電源切断時に選局されていたチャンネルのテレビ映像Ｐｔをスクリーンパネル３２に表示させると共に、音声をスピーカ４２から出力させる。具体的には、主制御部１８は、直前の電源切断時に選局されていたチャンネルのチャンネル番号情報Ｄ１をチューナ１１に出力する。チューナ１１は、このチャンネル番号情報Ｄ１のチャンネルについての放送信号Ｓｂを抽出して出力する。次いで、映像音声処理部１２が、この放送信号Ｓｂに基づく映像データＤｐおよび音声データＤｓを表示装置１３の映像出力部２２および音響装置１４の音声出力部４１にそれぞれ出力する。次に、映像出力部２２が、映像データＤｐに基づく表示用信号Ｓｅを生成して表示部２１の光学エンジン３１に出力する。光学エンジン３１は、光源からの光を表示用信号Ｓｅに基づいて投射光Ｌに変調してスクリーンパネル３２に投射する。また、音声出力部４１が、音声データＤｓに基づく音声信号Ｓｓを生成してスピーカ４２に出力する。これにより、図２に示すように、直前の電源切断時に選局されていたチャンネルで現在放送されている番組のテレビ映像Ｐｔがスクリーンパネル３２に表示され、かつ音声信号Ｓｓに基づく音声がスピーカ４２から出力される。
【００１６】
この状態において、他のチャンネルの番組を選択して視聴する際には、視聴したいチャンネルが割り当てられている選局スイッチ８１ｃを操作する。この際に、主制御部１８は、選局スイッチ８１ｃの操作に応じてリモコン３から出力される操作信号Ｓｏに従い、操作された選局スイッチ８１ｃに割り当てられているチャンネル番号情報Ｄ１をチューナ１１に出力する。チューナ１１は、操作された選局スイッチ８１ｃに割り当てられているチャンネルについての放送信号Ｓｂを抽出して出力する。これにより、このチャンネルのテレビ映像Ｐｔがスクリーンパネル３２に表示され、かつこのチャンネルの音声がスピーカ４２から出力されて、このチャンネルが視聴される。
【００１７】
また、リモコン３の予約スイッチ８１ｂが操作されたときには、主制御部１８は、予約スイッチ８１ｂの操作に応じて出力される操作信号Ｓｏに従い、図５に示す予約処理５０を開始する。この予約処理５０では、まず、主制御部１８は、チューナ１１から出力されているＥＰＧ情報Ｄ２に基づいて番組表映像データＤ３を作成して映像出力部２２に出力することにより、図３に示すように、番組表映像Ｐｅをスクリーンパネル３２上に表示させる（ステップ５１）。この場合、映像出力部２２は、番組表映像データＤ３に基づく表示用信号Ｓｅを生成して表示部２１の光学エンジン３１に出力する。続いて、表示部２１は、映像データＤｐを入力したときと同様に作動して、番組表映像Ｐｅをスクリーンパネル３２上に表示する。
【００１８】
次いで、リモコン３のカーソルキー８１ｅを操作して、図３に示す番組表映像Ｐｅ内に表示されている各チャンネルの各番組の中から視聴予約したい番組（例えば同図に示す「お笑い２」）を選択して、その番組の表示位置にカーソル（例えば同図に示す画面内の文字を反転表示する画像）を移動させた後に、決定スイッチ８１ｆを操作して番組予約する（ステップ５２）。この際に、主制御部１８は、番組予約された番組（以下において「予約番組」ともいう）の情報（放送日、開始時刻、終了時刻、チャンネル番号および番組名）を予約情報記憶部１５に予約番号と共に記憶させる。次いで、主制御部１８は、予約情報記憶部１５に記憶されている各予約番組の情報に基づいて重複予約（放送時間が重複している状態での予約）の有無を判別し（ステップ５３）、重複予約があるときには、その旨をスクリーンパネル３２上に表示させて通知すると共に、重複予約されている各番組の情報もスクリーンパネル３２上に表示させて、一例としてリモコン３のカーソルキー８１ｅおよび決定スイッチ８１ｆの操作内容に基づいて、重複予約されている各予約番組についての優先順位を設定する（ステップ５４）。具体的には、主制御部１８は、優先順位の高い順に予約番号を設定し直す。
【００１９】
主制御部１８は、ステップ５４の終了後、およびステップ５３において重複予約がないと判別したときには、リモコン３の予約スイッチ８１ｂが再度操作されているか否かを判別し（ステップ５５）、操作されていないときには、ステップ５２に移行することにより、予約処理５０を繰り返す。一例として、この予約処理５０を４回繰り返すことにより、予約情報記憶部１５には、図４に示すように、４つの予約番組の情報が、優先順位の高い順にそれぞれ記憶される。一方、ステップ５５において、リモコン３の予約スイッチ８１ｂが操作されていると判別したときには、主制御部１８は、予約情報記憶部１５に記憶されている各予約番組の情報を読み出すと共に、各予約番組についての放送日時（放送日、開始時刻、終了時刻）のうちから最も早く到来する放送日時を予約日時Ｄｔとしてタイマ１６に時刻予約（設定）し（ステップ５６）、この予約処理５０を終了する。本例では、このステップ５６において、図４に示すように、２００４年１２月１日１１時００分が予約日時Ｄｔとしてタイマ１６に時刻予約される。また、予約処理５０を終了したときには、主制御部１８は、番組表映像Ｐｅに代えて、リモコン３の予約スイッチ８１ｂが操作される直前に選局されていたチャンネルのテレビ映像Ｐｔをスクリーンパネル３２に再表示させる。
【００２０】
その後、予約日時Ｄｔである２００４年１２月１日１１時００分が到来した際には、タイマ１６が通報信号Ｓｔを主制御部１８に出力する。これに応じて、主制御部１８は、図６に示す自動選局処理６０を開始する。この自動選局処理６０では、主制御部１８は、まず、予約情報記憶部１５に記憶されている予約番組の情報を読み出すことにより、到来した予約日時Ｄｔが予約情報記憶部１５に記憶されている番組の開始時刻であるか終了時刻であるかを判別する（ステップ６１）。本例では、２００４年１２月１日１１時００分は予約番号００２〜００４の３つの番組の開始時刻であるため、主制御部１８は、予約日時Ｄｔが開始時刻であると判別する。次いで、主制御部１８は、予約情報記憶部１５に記憶されている他の予約番組を現在視聴中であるか否かを判別する（ステップ６２）。２００４年１２月１日１１時００分時点では、直前の電源切断時に選局されていたチャンネルのテレビ映像Ｐｔがスクリーンパネル３２に表示されており、予約番組とは異なる番組を視聴中の状態となっている。このため、主制御部１８は、２００４年１２月１日１１時００分が開始時刻となっている予約番号００２〜００４の番組のうちのいずれか１つを視聴番組として決定すると共に、決定した視聴番組のチャンネル番号情報Ｄ１をチューナ１１に出力することにより、決定した予約番組のチャンネルに切り替える（ステップ６３）。本例では、同一の開始時刻に複数の予約番組があるため、主制御部１８は、優先順位の最も高い予約番組を視聴番組として決定する。これにより、２００４年１２月１日１１時００分からは、アニメ１のテレビ映像Ｐｔがスクリーンパネル３２に表示される。最後に、主制御部１８は、２００４年１２月１日１１時００分よりも後の放送日時（放送日、開始時刻および終了時刻）であって、最も早く到来する放送日時を新たな予約日時Ｄｔとしてタイマ１６に設定し（ステップ６５）、この自動選局処理６０を終了する。本例では、図４に示すように、予約番号００２の予約番組（アニメ１）の終了時刻がこれに該当するため、予約日時Ｄｔとして２００４年１２月１日１１時３０分がタイマ１６に時刻予約される。
【００２１】
次いで、予約日時Ｄｔである２００４年１２月１日１１時３０分が到来した際には、タイマ１６が通報信号Ｓｔを主制御部１８に出力し、主制御部１８は、図６に示す自動選局処理６０を再度開始する。この自動選局処理６０では、まず、主制御部１８は、予約情報記憶部１５に記憶されている予約番組の情報を読み出すことによってこの予約日時Ｄｔが予約番組（アニメ１）の終了時刻であると判別し（ステップ６１）、次いで、この予約日時Ｄｔ（終了時刻）に他の予約番組があるか否かを判別する（ステップ６６）。この判別の結果、本例では、主制御部１８は、予約番号００３，００４の２つの予約番組があると判別する。次いで、主制御部１８は、該当する予約番組が複数存在するときには、このうちで優先順位の最も高い予約番組のチャンネル番号情報Ｄ１をチューナ１１に出力することにより、この予約番組のチャンネルに切り替えて、この予約番組を視聴可能な状態にする（ステップ６７）。本例では、予約番号００３，００４の２つの予約番組のうちの優先順位の高い予約番号００３の予約番組（ドラマ１）が視聴可能な状態となる。最後に、主制御部１８は、２００４年１２月１日１１時３０分よりも後の放送日時であって、最も早く到来する放送日時（本例では、予約番号００１の予約番組（お笑い２）の開始時刻：２００４年１２月１日１２時００分）を新たな予約日時Ｄｔとしてタイマ１６に設定し（ステップ６５）、この自動選局処理６０を終了する。
【００２２】
続いて、予約日時Ｄｔである２００４年１２月１日１２時００分が到来した際には、タイマ１６が通報信号Ｓｔを主制御部１８に出力し、主制御部１８は、図６に示す自動選局処理６０を再度開始する。この自動選局処理６０では、まず、主制御部１８は、予約情報記憶部１５に記憶されている予約番組の情報を読み出すことによって予約日時Ｄｔが予約番号００１の予約番組（お笑い２）の開始時刻であると判別し（ステップ６１）、次いで、この予約日時Ｄｔに他の予約番組が視聴中であるか否かを判別する（ステップ６２）。本例では、この時点において、この他の予約番組として予約番号００３の予約番組（ドラマ１）を視聴しているため、主制御部１８は、このステップ６２において他の予約番組を視聴中であると判別し、次いで、予約番組（お笑い２）の優先順位が視聴中の他の予約番組（ドラマ１）の優先順位よりも高いか否かを判別する（ステップ６４）。本例では、予約番組（お笑い２）の優先順位が高いため、主制御部１８は、このステップ６４において予約番組（お笑い２）の優先順位が高いと判別し、次いで、優先順位の高い予約番組（お笑い２）のチャンネル番号情報Ｄ１をチューナ１１に出力することにより、この予約番組（お笑い２）のチャンネルに切り替えて、予約番組（お笑い２）を視聴可能な状態にする（ステップ６３）。なお、仮に、視聴中の予約番組（ドラマ１）の方が予約番組（お笑い２）よりも優先順位が高いときには、主制御部１８は、ステップ６３を実行することなく、ステップ６５に移行する。この際には、予約番組（お笑い２）へのチャンネルの切替が行われない結果、予約番組（ドラマ１）の視聴が続行される。最後に、主制御部１８は、２００４年１２月１日１２時００分よりも後の放送日時であって、最も早く到来する放送日時（本例では、予約番号００３の予約番組（ドラマ１）の終了時刻：２００４年１２月１日１２時３０分）を新たな予約日時Ｄｔとしてタイマ１６に設定し（ステップ６５）、この自動選局処理６０を終了する。
【００２３】
次いで、予約日時Ｄｔである２００４年１２月１日１２時３０分が到来した際には、タイマ１６が通報信号Ｓｔを主制御部１８に出力し、主制御部１８は、図６に示す自動選局処理６０を再度開始する。この自動選局処理６０では、まず、主制御部１８は、予約情報記憶部１５に記憶されている予約番組の情報を読み出すことによってこの予約日時Ｄｔが予約番組（ドラマ１）の終了時刻であると判別し（ステップ６１）、次いで、この予約日時Ｄｔ（終了時刻）に他の予約番組があるか否かを判別する（ステップ６６）。この判別の結果、本例では、主制御部１８は、予約番号００１の予約番組が１つあると判別する。次いで、主制御部１８は、予約番組が１つであるため、この予約番組００１のチャンネル番号情報Ｄ１をチューナ１１に出力することにより、このチャンネル番号情報Ｄ１のチャンネルに切り替えて、このチャンネルの番組を視聴可能な状態にする（ステップ６７）。本例では、この予約日時Ｄｔ（２００４年１２月１日１２時３０分）が到来した際には、予約番組００１の予約番組（お笑い２）が既に視聴中であるため、この自動選局処理６０により、この予約番組（お笑い２）の視聴が続行される。最後に、主制御部１８は、２００４年１２月１日１２時３０分よりも後の放送日時であって、最も早く到来する放送日時（本例では、予約番号００１の予約番組（お笑い２）の終了時刻：２００４年１２月１日１３時００分）を新たな予約日時Ｄｔとしてタイマ１６に設定し（ステップ６５）、この自動選局処理６０を終了する。
【００２４】
次いで、予約日時Ｄｔである２００４年１２月１日１３時００分が到来した際には、タイマ１６が通報信号Ｓｔを主制御部１８に出力し、主制御部１８は、図６に示す自動選局処理６０を再度開始する。この自動選局処理６０では、まず、主制御部１８は、予約情報記憶部１５に記憶されている予約番組の情報を読み出すことによってこの予約日時Ｄｔが予約番組（お笑い２）の終了時刻であると判別し（ステップ６１）、次いで、この予約日時Ｄｔ（終了時刻）に他の予約番組があるか否かを判別する（ステップ６６）。この判別の結果、本例では、この予約日時Ｄｔから開始する予約番組、およびこの時刻に視聴中の他の予約番組のいずれも存在しないため、主制御部１８は、該当する他の予約番組がないと判別する。次いで、主制御部１８は、この予約日時Ｄｔ（２００４年１２月１日１３時００分）以後に開始する予約番組が予約情報記憶部１５に記憶されているか否かを判別する（ステップ６８）。本例では、２００４年１２月１日１３時００分以後に開始する番組は予約情報記憶部１５に記憶されていないため、主制御部１８は、該当する予約番組は存在しないと判別して、新たな予約日時Ｄｔをタイマ１６に設定することなく、この自動選局処理６０を終了する。したがって、２００４年１２月１日１３時００分以降は、「お笑い２」と同じチャンネルの他の番組が視聴可能な状態となる。
【００２５】
以上のように、予約日時Ｄｔが到来する都度、主制御部１８が自動選択処理を実行することにより、番組予約した予約番組のうちの現時点において最も優先順位の高い予約番組のテレビ映像Ｐｔがスクリーンパネル３２に自動的に表示され、かつこの予約番組の音声がスピーカ４２から自動的に出力される。
【００２６】
一方、面白そうだと思って予約した番組が、実際に視聴したところ面白くなかったときには、リモコン３の切替スイッチ８１ｄを操作する。この際に、主制御部１８は、切替スイッチ８１ｄの操作に応じてリモコン３から出力される操作信号Ｓｏに従い、図７に示す予約番組切替処理７０を開始する。この予約番組切替処理７０では、主制御部１８は、まず、予約番組切替処理７０の開始時点において、視聴している予約番組に代えて視聴可能な他の予約番組があるか否かを予約情報記憶部１５に記憶されている予約番組の情報を読み出すことによって判別する（ステップ７１）。この判別の結果、他の予約番組があるときには、主制御部１８は、現在視聴している予約番組の次の優先順位の（優先順位が１つ低い）予約番組のチャンネル番号情報Ｄ１をチューナ１１に出力することにより、この予約番組を視聴可能な状態にして（ステップ７２）、この予約番組切替処理７０を終了する。一方、ステップ７１において、他の予約番組がないときには、主制御部１８は、ステップ７２を実行することなく、この予約番組切替処理７０を終了する。
【００２７】
このようにして切替スイッチ８１ｄが操作される都度、主制御部１８がこの予約番組切替処理７０を実行することにより、本例のように予約番組が図４に示すように予約情報記憶部１５に記録されている状態において、２００４年１２月１日１１時００分から２００４年１２月１日１１時３０分までの時間帯（３つの予約番組が記憶されている時間帯）では、図８に示すように、チャンネル番号１５０の「アニメ１」から次の優先順位のチャンネル番号１５１の「ドラマ１」に切り替わり、さらに、この「ドラマ１」から次の優先順位のチャンネル番号１５３の「お笑い１」に、視聴する予約番組が順次切り替わる。
【００２８】
このように、このテレビ１によれば、複数の予約番組が同一時間帯に重複して、かつ優先順位を付けて予約情報記憶部１５に記憶されると共に、この時間帯において切替スイッチ８１ｄが操作されたときに、主制御部１８が表示部２１に現在表示されている予約番組に対して優先順位が１つ低い予約番組を予約情報記憶部１５に記憶されている複数の予約番組のなかから選択すると共にこの選択した予約番組についての放送信号Ｓｂをチューナ１１に受信させることにより、切替スイッチ８１ｄを１回操作する都度、優先順位の高い方から低い方に予約番組を切り替えて視聴することができる。このため、例えば、視聴し始めた優先順位の高い予約番組が面白くないときでも、切替スイッチ８１ｄを１回操作するだけで、簡単かつ瞬時（短時間）に次の優先順位の予約番組に切り替えることができる。この結果、次に見たいと思っている番組の視聴時間が短くなったり、ときにはこの番組が終了してしまうといった事態を避けることができる。また、次の優先順位の予約番組をＣＭなどの間に一時的に容易に視聴することもできる。
【００２９】
また、表示部２１に現在表示されている予約番組よりも優先順位の高い予約番組が予約情報記憶部１５に記憶されている状態において、この優先順位の高い予約番組の開始時刻になったときに、主制御部１８が、自動選局処理６０を実行することによってこの優先順位の高い予約番組についての放送信号Ｓｂをチューナ１１に受信させることにより、より優先順位の高い予約番組を自動的に視聴可能な状態にすることができる結果、優先順位の高い予約番組を見逃さずに確実に視聴することができる。
【００３０】
なお、本発明は、上記の構成に限定されない。例えば、切替スイッチ８１ｄの操作により、表示部２１に予約番組を順次切り替えて表示させる場合において、次の優先順位の予約番組がなくなったときに、図８において破線で示すように、再度、最も優先順位の高い予約番組に切り替えるようにすることもできる。この構成によれば、同一時間帯に重複して予約された各予約番組をエンドレスで切り替えて表示部２１に表示させることができる結果、納得のいくまで予約番組の選択を繰り返し実施することができる。また、上記の構成では、原則として、優先順位の高い予約番組から優先順位の低い予約番組に切り替えるようにしているが、これに限らない。例えば、図示はしないが、切替スイッチとして、例えば、アップスイッチおよびダウンスイッチの２つのスイッチをリモコン３に配設すると共に、ダウンスイッチが操作されたときには、上記の切替スイッチ８１ｄに対する操作が行われたのと同様にして、優先順位の高い予約番組から優先順位の低い予約番組に切り替え、他方、アップスイッチが操作されたときには、優先順位の低い予約番組から優先順位の高い予約番組に切り替える構成を採用することもできる。この構成によれば、同一時間帯に重複して予約された各予約番組をより少ない操作で表示部２１に再度表示させることができる。また、光学エンジン３１およびスクリーンパネル３２を備えて表示部２１を構成した例について上記したが、表示部として、ＣＲＴ、液晶表示パネルおよびプラズマディスプレイ等を採用することもできる。また、スピーカ４２を備えたテレビ１を例に挙げて説明したが、必ずしもスピーカを備えている必要はなく、外部スピーカから音声を出力するタイプのテレビに本発明を適用することもできる。さらに、テレビに限定されず、ステレオやラジオ等の音響機器、ＶＴＲ、ＤＶＤ再生装置およびディジタルチューナー等のＡＶ機器、および音声出力可能なパソコン等の各種電子機器に本発明を適用することができる。
【図面の簡単な説明】
【００３１】
【図１】テレビ１の構成を示すブロック図である。
【図２】テレビ１の正面図である。
【図３】番組表映像Ｐｅを表示しているスクリーンパネル３２の正面図である。
【図４】予約情報記憶部１５に記憶されている予約番組の情報を示す説明図である。
【図５】予約処理５０のフローチャートである。
【図６】自動選局処理６０のフローチャートである。
【図７】予約番組切替処理７０のフローチャートである。
【図８】チャンネルの切り替え状態を説明するための説明図である。
【符号の説明】
【００３２】
１  テレビ、３  リモコン、１１  チューナ、１５  予約情報記憶部、１８  主制御部、２１  表示部、Ｐｔ  テレビ映像、Ｓｂ  放送信号
【図１】
2006211085.tif 000003
【図２】
2006211085.tif 000004
【図３】
2006211085.tif 000005
【図４】
2006211085.tif 000006
【図５】
2006211085.tif 000007
【図６】
2006211085.tif 000008
【図７】
2006211085.tif 000009
【図８】
2006211085.tif 000010